(57)【特許請求の範囲】
【請求項１】
レンズを駆動するためのモータと、このモータを保持し、鏡筒本体に取り付けられるモータ保持部材とを有するレンズ鏡筒において、
前記モータ保持部材を１箇所のビス締めによるビス締め取付け部と、前記鏡筒本体および前記モータ保持部材を係止するための係止取付け部とで前記鏡筒本体に取り付けられており、
前記係止取付け部による前記モータ保持部材の前記鏡筒本体への取付けにより、前記モータ保持部材が前記ビス締め取付け部のビス締め方向に位置決めされ、
前記鏡筒本体の光軸方向において、前記ビス締め取付け部は、前記係止取付け部より前記モータに近い位置に配置され、
前記ビス締め取付け部が、前記係止取付け部よりも前記モータを含めた前記モータ保持部材の重心に近い位置に配置され、
前記鏡筒本体の光軸を含む断面から見た場合、前記ビス締め取付け部と前記係止取付け部が、前記モータの軸を挟んだ両側に分けて配置されていることを特徴とするレンズ鏡筒。
【請求項２】
前記係止取付け部の係止は、前記鏡筒本体および前記モータ保持部材の一方に設けた挟み込み部に、他方に設けた被挟み込み部を挟み込むこと、又は、前記鏡筒本体および前記モータ保持部材の一方に設けた穴に、他方に設けた突起を圧入すること、又は、前記鏡筒本体および前記モータ保持部材の一方に設けた係止爪を、他方に設けた被係止部に係合すること、のいずれかであることを特徴とする請求項１に記載のレンズ鏡筒。
【請求項３】
前記鏡筒本体の光軸を含む断面から見た場合、前記ビス締め取付け部及び前記係止取付け部が前記モータの軸を挟んで前記鏡筒本体の光軸に近い側と遠い側とに分かれるように配置されており、
前記鏡筒本体の光軸に近い側に前記ビス締め取付け部を配置し、前記鏡筒本体の光軸に遠い側に前記係止取付け部を配置したことを特徴とする請求項２に記載のレンズ鏡筒。
【請求項４】
前記係止取付け部に、モータ振動の前記鏡筒本体への伝達を抑えるための制振部材を配置したことを特徴とする請求項１乃至３の何れか一項に記載のレンズ鏡筒。
【請求項５】
前記モータ保持部材の前記鏡筒本体に対する前記鏡筒本体の光軸方向についての位置決めを行う位置決め部を設けたことを特徴とする請求項１乃至４の何れか一項に記載のレンズ鏡筒。
【請求項６】
前記モータが、出力軸にリードスクリューが一体的に設けられたステッピングモータであることを特徴とする請求項１乃至５の何れか一項に記載のレンズ鏡筒。
【請求項７】
請求項１乃至６の何れか一項に記載のレンズ鏡筒を備えたことを特徴とするビデオカメラ。
【発明の詳細な説明】
【０００１】
【発明の属する技術分野】
本発明は、ビデオカメラ等の撮像装置その他の光学機器に使用されるレンズ鏡筒に関するものである。
【０００２】
【従来の技術】
ビデオカメラ用のズームレンズとしては、例えば被写体側から順に固定の凸、可動の凹、固定の凸、可動の凸の４つのレンズ群から構成されるものがある。
【０００３】
図１１（Ａ），（Ｂ）には、一般的な４群レンズ構成のズームレンズの鏡筒構造を示している。なお、（Ｂ）は（Ａ）におけるＡ−Ａ線断面を示している。
【０００４】
このズームレンズを構成する４つのレンズ群２０１ａ〜２０１ｄは、固定された前玉レンズ２０１ａ、光軸に沿って移動することで変倍動作を行うバリエーターレンズ群２０１ｂ、固定されたアフォーカルレンズ２０１ｃ、および光軸に沿って移動することで変倍時の焦点面維持と焦点合わせを行うフォーカシングレンズ群２０１ｄからなる。
【０００５】
前玉レンズ２０１ａは前玉鏡筒２０２に保持され、バリエーターレンズ群２０１ｂはＶ移動環２１１に保持されている。また、アフォーカルレンズ２０１ｃは中間枠２１５に、フォーカシングレンズ群２０１ｄはＲＲ移動環２１４に保持されている。
【０００６】
前玉鏡筒２０２は、後部鏡筒２１６に位置決め固定されており、両鏡筒２０２，２１６によってガイドバー２０３が位置決め支持されているとともに、ガイドスクリュウ軸２０８が回転可能に支持されている。このガイドスクリュウ軸２０８は、ＤＣモータ２０６の出力軸２０６ａの回転がギア列２０７を介して伝達されることにより回転駆動される。
【０００７】
バリエーターレンズ群２０１ｂを保持するＶ移動環２１１は、押圧ばね２０９とこの押圧ばね２０９の力でガイドスクリュウ軸２０８に形成されたスクリュー溝２０８ａに係合するボール２１０とを有しており、ＤＣモータ２０６によってガイドスクリュー軸２０８が回転駆動されることにより、ガイドバー２０３にガイドおよび回転規制されながら光軸方向に進退移動する。
【０００８】
後部鏡筒２１６とこの後部鏡筒２１６に位置決めされた中間枠２１５には基準穴が形成されており、これら基準穴にはガイドバー２０４ａ，２０４ｂが嵌合して位置決め支持されている。ＲＲ移動環は、これらガイドバー２０４ａ，２０４ｂによってガイドおよび回転規制されながら光軸方向に進退可能である。
【０００９】
フォーカシングレンズ群２０１ｄを保持するＲＲ移動環２１４には、ガイドバー２０４ａ，２０４ｂにスライド可能に嵌合するスリーブ部が形成されており、またラック２１３が光軸方向についてＲＲ移動環２１４と一体的となるように組み付けられている。
【００１０】
ステッピングモーター２１２は、その出力軸に一体形成されたリードスクリュー２１２ａを回転駆動する。リードスクリュー２１２ａにはＲＲ移動環２１４に組み付けられたラック２１３が係合しており、リードスクリュー２１２ａが回転することによって、ＲＲ移動環２１４がガイドバー２０４ａ，２０４ｂによりガイドされながら光軸方向に移動する。
【００１１】
なお、バリエーターレンズ群の駆動源としては、フォーカシングレンズ群の駆動源と同様にステッピングモータを用いてもよい。
【００１２】
そして、前玉鏡筒２０２、中間枠２１５および後部鏡筒２１６により、レンズ等を略密閉収容するレンズ鏡筒本体が形成される。
【００１３】
また、このようなステッピングモータを用いてレンズ群保持枠を移動させる場合には、フォトインタラプタ等を用いて保持枠が光軸方向の１つの基準位置に位置することを検出した後に、ステッピングモータに与える駆動パルスの数を連続的にカウントすることにより、保持枠の絶対位置を検出する。
【００１４】
図１２には、従来の撮像装置におけるカメラ本体の電気的構成を示している。この図において、図１１にて説明したレンズ鏡筒の構成要素については、図１１と同符号を付す。
【００１５】
２２１はＣＣＤ等の固体撮像素子、２２２はバリエーターレンズ群２０１ｂの駆動機構であり、モータ２０６（又はステッピングモータ）、ギア列２０７およびガイドスクリュー軸２０８等を含む。
【００１６】
２２３はフォーカシングレンズ群２０１ｄの駆動機構であり、ステッピングモータ２１２、リードスクリュー軸２１２ａおよびラック２１３等を含む。
【００１７】
２２４はバリエーターレンズ群２０１ｂとアフォーカルレンズ２０１ｃとの間に配置された絞り装置２３５の駆動機構である。
【００１８】
２２５はズームエンコーダー、２２７はフォーカスエンコーダーである。これらのエンコーダーはそれぞれ、バリエーターレンズ群２０１ｂおよびフォーカシングレンズ群２０１ｄの光軸方向の絶対位置を検出する。なお、図１１に示すようにバリエーター駆動源としてＤＣモータを用いる場合には、ボリューム等の絶対位置エンコーダーを用いたり、磁気式のものを用いたりする。
【００１９】
また、駆動源としてステッピングモーターを用いる場合には、前述したような基準位置に保持枠を配置してから、ステッピングモータに入力する動作パルス数を連続してカウントする方法を用いるのが一般的である。
【００２０】
２２６は絞りエンコーダーであり、絞り駆動源であるモータの内部にホール素子を配置し、ローターとステーターの回転位置関係を検出する方式のものなどが用いられる。
【００２１】
２３２は本カメラの制御を司るＣＰＵである。２２８はカメラ信号処理回路であり、固体撮像素子２２１の出力に対して所定の増幅やガンマ補正などを施す。これらの所定の処理を受けた映像信号のコントラスト信号は、ＡＥゲート２２９およびＡＦゲート２３０を通過する。即ち、露出決定およびピント合わせのために最適な信号の取り出し範囲が全画面内のうちこのゲートで設定される。このゲートの大きさは可変であったり、複数設けられたりする場合がある。
【００２２】
２３１はＡＦ（オートフォーカス）のためのＡＦ信号を処理するＡＦ信号処理回路であり、映像信号の高周波成分に関する１つもしくは複数の出力を生成する。２３３はズームスイッチ、２３４はズームトラッキングメモリである。ズームトラッキングメモリ２３４は、変倍に際して被写体距離とバリエーターレンズ位置に応じてセットすべきフォーカシングレンズ位置の情報を記憶する。なお、ズームトラッキングメモリとしてＣＰＵ２３２内のメモリを使用してもよい。
【００２３】
例えば、撮影者によりズームスイッチ２３３が操作されると、ＣＰＵ２３２は、ズームトラッキングメモリ２３４の情報をもとに算出したバリエーターレンズとフォーカシングレンズの所定の位置関係が保たれるように、ズームエンコーダー２２５の検出結果となる現在のバリエーターレンズの光軸方向の絶対位置と算出されたバリエーターレンズのセットすべき位置、およびフォーカスエンコーター２２７の検出結果となる現在のフォーカスレンズの光軸方向の絶対位置と算出されたフォーカスレンズのセットすべき位置がそれぞれ一致するように、ズーム駆動機構２２２とフォーカスシング駆動機構２２３を駆動制御する。
【００２４】
また、オートフォーカス動作ではＡＦ信号処理回路２３１の出力がピークを示すように、ＣＰＵ２３２は、フォーカシング駆動機構２２３を駆動制御する。
【００２５】
さらに、適正露出を得るために、ＣＰＵ２３２は、ＡＥゲート２２９を通過したＹ信号の出力の平均値を所定値として、絞りエンコーダー２２６の出力がこの所定値となるように絞り駆動機構２２４を駆動制御して、開口径をコントロールする。
【００２６】
図１３を用いて、ＤＣモータ２０６やステッピングモータ２１２の鏡筒本体への取り付け方法について説明する。モータ２０６，２１２はそれぞれ独立したモータ保持部材２０６ｂ，２１２ｂに一体的に保持されている。これらモータ保持部材２０６ｂ，２１２ｂには、ビス穴２０６ｃ，２０６ｄ，２１２ｃ，２１２ｄがそれぞれについて２箇所ずつ形成されている。また、基準位置決め穴２０６ｅ、２１２ｅおよび振れ止めのための長穴２０６ｆ，２１２ｆもそれぞれ形成されている。
【００２７】
各モータ保持部材２０６ｂ，２１２ｂを鏡筒本体に取り付ける際には、鏡筒本体側に設けられた位置決めピンと振れ止めピンを位置決め穴２０６ｅ，２１２ｅと長穴２０６ｆ，２１２ｆにそれぞれ嵌合させ、その後２箇所のビス穴２０６ｃ，２０６ｄ，２１２ｃ，２１２ｄにビスを挿入して鏡筒本体に締め込む。
【００２８】
【発明が解決しようとする課題】
このように従来のレンズ鏡筒では、モータ保持部材の鏡筒本体への取り付け方法は、２箇所のビス締めによる方法が一般的である。これは、鏡筒本体へのモータの取り付け強度を確保して、モータ駆動音の共振による鏡筒本体側からの騒音発生を抑えるため、ビス締め箇所をモータ軸を挟んだ両側に分けて配置する必要があるからである。このため、モータ保持部材にビス穴を形成するための張り出し部分を２箇所に形成する必要がり、また鏡筒本体にも、ビスを締め込む下穴を２箇所に形成する必要がある。したがって、モータ保持部材や鏡筒本体の大型化につながっている。
【００２９】
一方、近年、レンズ鏡筒には小型化、小径化が求められている。この目的を達成するためには、まず前述のようなモータ保持部材や鏡筒本体の小型化を図る必要がある。
【００３０】
しかし、例えば、単に１箇所のビス締めのみでモータ保持部材を鏡筒本体に取り付けるようにしただけでは、モータの取り付け強度が不足し、モータの駆動音の共振によってレンズ鏡筒から騒音が発生する可能性がある。
【００３１】
さらに、ステッピングモータの振動によってリードスクリューの振れが起こり、モータの出力トルクを設計値通りにラックに伝えることができないため、ラックと連結されたレンズ保持枠の所望の送り精度が得られなかったり歯飛びによるレンズ枠の駆動不良が発生したりするおそれがある。
【００３２】
【課題を解決するための手段】
本発明では、レンズを駆動するためのモータと、このモータを保持し、鏡筒本体に取り付けられるモータ保持部材とを有するレンズ鏡筒において、モータ保持部材を１箇所のビス締めによるビス締め取付け部と、鏡筒本体およびモータ保持部材を係止するための係止取付け部とで鏡筒本体に取り付けられており、係止取付け部によるモータ保持部材の鏡筒本体への取付けにより、モータ保持部材がビス締め取付け部のビス締め方向に位置決めされ、鏡筒本体の光軸方向において、ビス締め取付け部は、係止取付け部よりモータに近い位置に配置され、ビス締め取付け部が、係止取付け部よりもモータを含めたモータ保持部材の重心に近い位置に配置され、鏡筒本体の光軸を含む断面から見た場合、ビス締め取付け部と係止取付け部が、モータの軸を挟んだ両側に分けて配置されている。
【００３８】
【発明の実施の形態】
（第１実施形態）
図１および図２にはそれぞれ、本発明の第１実施形態であるズームレンズ鏡筒の構成を縦断面図および横断面図によって示している。このズームレンズ鏡筒は、ビデオカメラに装着されるものである。
【００３９】
これらの図において、１は第１レンズ群、２はバリエーターレンズ群、３は固定のアフォーカルレンズ群、４はフォーカシングレンズ群を示す。
【００４０】
５は第１レンズ群を保持する前玉鏡筒である、この前玉鏡筒５は、図３に分かり易く示すように、上面および結像面方向に開口面を有し、左右側面および下面には、結像面方向に延長された側面を有している。
【００４１】
前玉鏡筒５の内壁下面には、図１に示すように、梨地面化するための遮光線５ａが形成されており、内面反射を防止して有害な反射ゴーストを防止している。この遮光線５ａは金型の成形上、図３に矢印で示す上方向のスライドにて成形される。このため、前玉鏡筒５の内壁形状は寸法精度を必要とされる部分について、全てが上方向スライドで形成可能な形状とする必要がある。
【００４２】
つまり、精度をあまり必要としない固定ビスの下穴５ｂ等はスライド内スライド等の成形方法で形成可能であるが、結像面方向に向いた穴としてのガイドバーの基準穴は形成不可能である。仮にスライド内スライドの成形方法を用いて基準穴を形成しても、成型バラツキが大きすぎて所望の光学性能を保証できない。
【００４３】
このため、本実施形態の前玉鏡筒５では、図４に示すように、左右方向のスライド穴５ｃ，５ｄにより３方向を規制した基準溝を形成した上で、上方向のスライドで左右方向規制のための基準リブ５ｅ，５ｆを形成し、ガイドバー６ａ，６ｂの外径の４点に精度良く嵌合する基準穴５ｇ，５ｈを形成している。
【００４４】
後部鏡筒７は、図５に分かり易く示すように、左右方向および光軸被写体方向に開口面を有するとともに、光軸被写体方向に延長されてその先端に前玉鏡筒５との当接基準面７ａが形成された円弧状側面を有する。また、後部鏡筒７の結像面方向端部には、ローパスフィルター保持部７ｂとＣＣＤ保持部７ｃとが形成されている。
【００４５】
本実施形態の後部鏡筒７の内壁には、前玉鏡筒５のような遮光手段を施していないため、金型のスライドの構成は、図５に矢印で示すように前後方向と左右方向の４方向スライドにて構成される。このため、ガイドバー６ａ，６ｂを位置決め保持する基準穴７ｄ，７ｅは前方向スライドにより容易に精度良く形成可能で、その形状も図６に示すように真円とすることが可能である。
【００４６】
なお、内壁に遮光手段を施していない本実施形態の後部鏡筒７では、前方向スライドにて基準穴７ｄ，７ｅを形成したが、遮光手段を施す場合には、前玉鏡筒５のように、左右方向スライドで精度良く形成することが可能である。
【００４７】
ガイドバー６ａ，６ｂは、前玉鏡筒５の基準穴５ｇ，５ｈおよび後部鏡筒７の基準穴７ｄ，７ｅに嵌合して位置決め保持される。
【００４８】
バリエーターレンズ群２を保持するＶ移動環８は、その基準位置決め側にスリーブ８ａを設けてガイドバー６ａに嵌合させ、振れ止め側にはＵ溝部８ｂを設けてガイドバー６ｂに嵌合させることで、バリエーターレンズ群２の光軸を鏡筒光軸に一致させている。
【００４９】
バリエーターレンズ群２の光軸方向に対する傾き（倒れ）は、スリーブ８ａのガイドバー６ａに対する嵌合長を長く設定することで保証される。
【００５０】
また、Ｖ移動環８には、不図示のラックが光軸方向についてはガタなく、光軸直交方向には回動可能に取り付けられており、このラックは図７に示すようにＰＺモータ（ステッピングモータ）１０の出力軸に一体的に設けられたリードスクリュウ軸１０ａに噛み合っている。このため、ＰＺモータ１０によってリードスクリュウ軸１０ａが回転することにより、Ｖ移動環８は光軸方向に進退駆動される。
【００５１】
同様に、フォーカシングレンズ群４を保持するＲＲ移動環９は、その基準位置決め側にスリーブ９ａを設けてガイドバー６ｂに嵌合させ、振れ止め側にＵ溝部９ｂを設けてガイドバー６ａに嵌合させることで、フォーカシングレンズ群４の光軸を鏡筒光軸に一致させている。
【００５２】
フォーカスレンズ群４の光軸方向に対する傾き（倒れ）も、スリーブ９ａのガイドバー６ｂに対する嵌合長を長く設定することで保証される。なお、Ｖ移動環８とＲＲ移動環９との基準位置決め側のガイドバーを互いに異ならせているのは、ともにスリーブ嵌合長を長く設定するためである。
【００５３】
ＲＲ移動環９にも、不図示のラックが光軸方向についてはガタなく、光軸直交方向には回動可能に取り付けられており、このラックは図７に示すように、ＡＦモーター（ステッピングモータ）１１の出力軸に一体的に設けられたリードスクリュウ軸１１ａに噛みっている。このため、ＡＦモーター１１によってリードスクリュウ軸１１ａが回転することにより、ＲＲ移動環９は光軸方向に進退駆動される。
【００５４】
ここで、ＰＺモータ１０やＡＦモータ１１の鏡筒本体（本実施形態では、前玉鏡筒５）への取り付け方法について詳細に説明する。図８において、ＰＺモータ１０やＡＦモータ１１はそれぞれ独立したモータ保持部材１０ｂ，１１ｂに一体的に取り付けられている。これらモータ保持部材１０ｂ，１１ｂには、リードスクリュウ軸１０ａ，１１ａを一体的に有するモータ１０，１１を含めたモータ保持部材１０ｂ，１１ｂ（つまり、モータユニット）の重心に最も近い位置であって、前玉鏡筒５に取り付けられたときに鏡筒内径側となる位置にビス穴１０ｃ，１１ｃが１箇所形成されている。また、モータ保持部材１０ｂ，１１ｂにおける、ビス穴１０ｃ，１１ｃよりも上記重心より遠い位置であって、前玉鏡筒５に取り付けられたときに鏡筒外径側となる位置には、前玉鏡筒５によって挟み込まれる部分（以下、被挟み込み部分という）１０ｆ，１１ｆが形成されている。なお、ビス穴１０ｃ，１１ｃと被挟み込み部分１０ｆ，１１ｆとは、モータ軸（リードスクリュウ軸１０ａ，１１ａ）を挟んだ両側に形成されている。
【００５５】
また、モータ保持部材１０ｂ，１１ｂには、基準位置決め穴１０ｄ，１１ｄと、振れ止めのための長穴１０ｅ，１１ｅも形成されている。
【００５６】
一方、これらモータ保持部材１０ｂ，１１ｂが取り付けられる前玉鏡筒５の内径側には、図９に示すように、ビス締め込み用の下穴５ｒが形成されており、外径側にはモータ保持部材１０ｂ，１１ｂの被挟み込み部分１０ｆ，１１ｆの圧入を受けてこれを挟み込む保持する部分（以下、挟み込み部分という）５ｌが設けられている。
【００５７】
ＰＺモータ１０やＡＦモータ１１を保持したモータ保持部材１０ｂ，１１ｂを前玉鏡筒５に取り付ける際には、まず前玉鏡筒５の挟み込み部分５ｌにモータ保持部材１０，１１の被挟み込み部分１０ｆ，１１ｆを圧入し、その後、前玉鏡筒５に設けられた位置決めピン（位置決め部）５ｐと振れ止めピン（振れ規制部）５ｑに対して、位置決め穴（位置決め部）１０ｄ，１１ｄと長穴（振れ規制部）１０ｅ，１１ｅとを嵌合させ、ビス穴１０ｃ，１１ｃを通したビス１８を下穴５ｒに締め込む。
【００５８】
このように、本実施形態によれば、モータ保持部材１０ｂ，１１ｂおよび前玉鏡筒５には、１箇所のビス締め用の部分と、１箇所の挟み込みを行うための部分とを形成すればよい。挟み込みを行う部分はビス締め用の部分に比べて小さなスペースで形成することが可能であるため、２箇所のビス締めによりモータ保持部材を取り付ける従来の場合に比べて、モータ保持部材１０ｂ，１１ｂおよび前玉鏡筒５の小型化を図ることができる。
【００５９】
しかも、比較的大きなスペースを必要とするビス締め部分を鏡筒内径側に、比較的小さなスペースしか必要としない挟み込み部分を鏡筒外径側というように、ビス締めによる取付け部と挟み込みによる取付け部とを、モータ１０，１１の軸を挟んだ両側に分けて配置しているので、レンズ鏡筒のより小径化を図ることができるとともに、モータ保持部材１０ｂ，１１ｂの前玉鏡筒５に対する取付け強度を十分に確保し、モータ振動の共振による鏡筒本体からの騒音発生を防止することができる。
【００６０】
さらに、ビス締めによる取付け部を挟み込みによる取付け部よりも、モータ１０，１１を含めたモータ保持部材１０ｂ，１１ｂの重心に近い位置に配置しているので、モータ振動による鏡筒本体の共振を軽減することができ、レンズ鏡筒からの騒音発生をより効果的に防止することができる。また、リードスクリュー軸１０ａ，１１ａの振れを抑えることもできる。
【００６１】
ここで、モータ１０，１１の振動する方向を水平方向と垂直方向の２成分に分けて考えると、前玉鏡筒５の挟み込み部分５ｌとモータ保持部材１０ｂ，１１ｂの被挟み込み部分１０ｆ，１１ｆとによって構成される取付け部によっては、振動の垂直成分のみが抑えられる。一方、振動の水平成分は、位置決めピン５ｐおよび振れ止めピン５ｑと位置決め穴１０ｄ，１１ｄおよび長穴１０ｅ，１１ｅとの嵌合によって抑えられる。したがって、本実施形態によれば、２箇所のビス締めによる取り付け方法を採用する従来のレンズ鏡筒と同等のモータ保持部材の鏡筒本体への取り付け状態が得られる。
【００６２】
また、固定のアフォーカルレンズ群３を保持する中間枠１２は、Ｖ移動環８およびＲＲ移動環９と同様に、図９に示すように、基準位置決め穴１２ａおよび振れ止めの長穴１２ｂを有し、それぞれガイドバー６ａ，６ｂに嵌合することでアフォーカルレンズ群３の光軸を鏡筒光軸に一致させている。但し、Ｖ移動環８およびＲＲ移動環９は基準位置決め側のスリーブ長を長く設定することで各々のレンズ群の倒れを保証していたが 中間枠１２のスリーブ長は２つの移動レンズ群のスリーブ長によって長く設定することが困難である。このため、本実施形態では、中間枠１２に３個所の前玉鏡筒５との係止部１２ｃ，１２ｄ，１２ｅを設け、アフォーカルレンズ群３の倒れを保証している。なお、係止部１２ｃ，１２ｄ，１２ｅは、前玉鏡筒５に形成された係止溝５ｉ，５ｊおよび係止長穴５ｋに係合する。
【００６３】
前玉鏡筒５に中間枠１２を組み付ける際には、まず係止部１２ｃもしくは係止部１２ｄを前玉鏡筒５の係止溝５ｉもしくは係止溝５ｊに係合させて中間枠１２の光軸方向の位置を規定し、その後、反対側の係止部１２ｄもしくは係止部１２ｃを前玉鏡筒５の係止部５ｊもしくは係止溝５ｉに係合させることで、図２における左右方向の倒れを規制する。そして、係止部１２ｅを前玉鏡筒５の係止長穴５ｋに係合させることで、図１における左右方向の倒れを規制する。なお、係止部１２ｃ，１２ｄ，１２ｅと係止溝５ｉ，５ｊおよび係止長穴５ｋと係合は、嵌合設定としてもよいし、軽い圧入設定としてもよい。
【００６４】
次に、以上のように構成されるレンズ鏡筒の組み立て手順の例を説明する。まず、２本のガイドバー６ａ，６ｂをＶ移動環８、中間枠１２およびＲＲ移動環９に貫通された状態で前玉鏡筒５の係止部（５ｉ，５ｊ，係止長穴５ｋ）に中間枠１２を光軸直交方向から組み込み、その後、ガイドバー６ａ，６ｂを前玉鏡筒５の基準穴５ｇ，５ｈに光軸方向から、ガイドバー６ａ，６ｂの嵌合長さ分スライドさせて組み込む。そして、前玉鏡筒５に後部鏡筒７を光軸方向から組み付けて固定し、略密閉された内部空間に、レンズ群およびガイドバー６ａ，６ｂ等が収容された鏡筒本体が完成する。
【００６５】
その後、前述したように、前玉鏡筒５にＰＺモータ１０、ＡＦモータ１１およびＩＧメーター（アイリス）１３を光軸直交方向から組み込み、レンズ鏡筒が完成する。
【００６６】
なお、別の組立方法として、後部鏡筒７にガイドバー６ａ，６ｂを光軸方向から組み込んでおいて、ＲＲ移動環９、中間枠１２、Ｖ移動環８をガイドバー６ａ，６ｂに順次組み付ける。一方、前玉鏡筒５に対して光軸直交方向から中間枠１２を正規位置になるまで落とし込む。そして、後部鏡筒７をガイドバー６ａ，６ｂに嵌合長さ分スライドさせて組み込むことで、鏡筒本体を完成させ、その後前玉鏡筒５にＰＺモータ１０、ＡＦモータ１１およびＩＧメーター（アイリス）１３を光軸直交方向から組み込むようにしてもよい。
【００６７】
（第２実施形態）
図１０には、本発明の第２実施形態であるレンズ鏡筒を示している。このレンズ鏡筒の基本構成は、第１実施形態のレンズ鏡筒と同じであるので、共通する構成要素には第１実施形態と同符号を付して説明に代える。
【００６８】
本実施形態では、ＰＺモータ１０（モータ保持部材１０ｂ）やＡＦモータ１１（モータ保持部材１１ｂ）の前玉鏡筒５への取り付けを、第１実施形態とは異なる方法で行っている。
【００６９】
ＰＺモータ１０やＡＦモータ１１がそれぞれ独立したモータ保持部材１０ｂ，１１ｂと一体的に取り付けられ、これらモータ保持部材１０ｂ，１１ｂにおける重心に最も近い位置にビス穴１０ｃ，１１ｃが１箇所形成されている点、およびモータ保持部材１０ｂ，１１ｂに基準位置決め穴１０ｄ，１１ｄや振れ止めのための長穴１０ｅ，１１ｅが形成されている点は第１実施形態と同じである。
【００７０】
そして、前玉鏡筒７に、モータ保持部材１０ｂ，１１ｂの被挟み込み部分１０ｆ，１１ｆを挟み込み保持するための挟み込み部５ｌが設けられている点も同じである。
【００７１】
但し、本実施形態では、モータ保持部材１０ｂ，１１ｂの被挟み込み部分１０ｆ，１１ｆに、ブチルゴム等で形成された制振部材５ｍが接着されており、この制振部材５ｍとともに被挟み込み部分１０ｆ，１１ｆが挟み込み部５ｌによって挟み込み保持される。
【００７２】
制振部材５ｍは、モータ１０，１１の振動が鏡筒本体側に伝達されるのを抑える役割および被挟み込み部分１０ｆ，１１ｆの挟み込み部５ｌによる挟持力を高める役割を果たす。
【００７３】
なお、制振部材５ｍの材料としては、制振性を有するものであればよく、天然ゴムでもシリコンでもよい。
【００７４】
本実施形態の場合において、ＰＺモータ１０やＡＦモータ１１を保持したモータ保持部材１０ｂ，１１ｂを前玉鏡筒５に取り付ける際には、第１実施形態と同様に、まず前玉鏡筒５の挟み込み部分５ｌにモータ保持部材１０，１１の被挟み込み部分１０ｆ，１１ｆを圧入し、その後、前玉鏡筒５に設けられた位置決めピン５ｐと振れ止めピン５ｑに対して、位置決め穴１０ｄ，１１ｄと長穴１０ｅ，１１ｅとを嵌合させ、ビス穴１０ｃ，１１ｃを通したビス１８を下穴５ｒに締め込む。
【００７５】
なお、上記各実施形態では、モータ保持部材１０ｂ，１１ｂの被挟み込み部分（係止取付け部）１０ｆ，１１ｆを鏡筒本体に形成した挟み込み部（係止取付け部）５ｌによって挟み込み保持する場合について説明したが、係止取付け部の係止として、モータ保持部材に挟み込み部を設けて鏡筒本体の被挟み込み部を挟み込むようにしてもよいし、モータ保持部材と鏡筒本体の一方に穴を形成してここに他方に形成した突起を圧入する方法を採ってもよい。さらに、一方に係止爪を形成し、この係止爪を他方に形成した被係止部に係合させるようにしてもよい。
【００７６】
また、上記各実施形態では、４群レンズ構成のレンズ鏡筒について説明したが、本発明は、これ以外の構成を有するレンズ鏡筒にも適用することができる。
【００７７】
さらに、本実施形態では、ビデオカメラ用のレンズ鏡筒について説明したが、本発明は、静止画カメラその他の光学機器に装着されるレンズ鏡筒にも適用可能である。
【００７８】
【発明の効果】
以上説明したように、本発明では、モータ保持部材を、１箇所のビス締めによるビス締め取付け部と、ビス締め以外の方法（例えば、鏡筒本体およびモータ保持部材の一方に設けた挟み込み部に他方に設けた被挟み込み部を挟み込む方法、鏡筒本体およびモータ保持部材の一方に設けた穴に他方に設けた突起を圧入する方法、又は鏡筒本体およびモータ保持部材の一方に設けた係止爪を他方に設けた被係止部に係合する方法）による係止取付け部とで鏡筒本体に取り付けるようにしているので、モータ保持部材および鏡筒本体には、１箇所のビス締め用の部分（ビス締め取付け部）と、挟み込み等を行うための最低１箇所の部分（係止取付け部）とを形成すればよい。挟み込み等を行う部分はビス締め用の部分に比べて小さなスペースで形成することが可能であるため、２箇所のビス締めによりモータ保持部材を取り付ける従来の場合に比べて、モータ保持部材および鏡筒本体の小型化、ひいてはレンズ鏡筒の小型化、小径化を図ることができる。
【００７９】
なお、ビス締め取付け部と係止取付け部とを、モータの軸を挟んだ両側に分けて配置すれば、モータ保持部材の鏡筒本体に対する取付け強度を十分に確保し、モータ振動の共振による鏡筒本体からの騒音発生を防止することができる。
【００８０】
特に、鏡筒本体に対し、モータの軸が鏡筒光軸と平行になり、かつビス締め取付け部及び係止取付け部がモータの軸を挟んで鏡筒光軸に近い側と遠い側とに分かれるようにモータ保持部材を配置した場合に、鏡筒光軸に近い側にビス締め取付け部を配置し、鏡筒光軸に遠い側に係止取付け部を配置すれば、比較的大きなスペースを必要とするビス締め取付け部を鏡筒内径側に、比較的小さなスペースしか必要としない係止取付け部を鏡筒外径側に配置することとなり、レンズ鏡筒のより小径化を図ることができる。
【００８１】
さらに、ビス締め取付け部を、係止取付け部よりも、モータを含めたモータ保持部材の重心に近い位置に配置すれば、モータ振動による鏡筒本体の共振を軽減することができ、レンズ鏡筒からの騒音発生を防止することができる。また、モータ出力軸（リードスクリュー等）の振れを抑えることもできる。
【図面の簡単な説明】
【図１】本発明の第１実施形態であるズームレンズ鏡筒の縦断面図。
【図２】上記ズームレンズ鏡筒の横断面図
【図３】上記ズームレンズ鏡筒を構成する前玉鏡筒の金型スライド構成図。
【図４】上記前玉鏡筒の後視図。
【図５】上記ズームレンズ鏡筒を構成する後部鏡筒の金型スライド構成図。
【図６】上記後部鏡筒の正面図。
【図７】上記ズームレンズ鏡筒の分解斜視図。
【図８】上記ズームレンズ鏡筒の鏡筒本体へのモータ取り付け状態を示す図。
【図９】上記ズームレンズ鏡筒の中間枠と前玉鏡筒との係合状態を示す図。
【図１０】本発明の第２実施形態であるズームレンズ鏡筒の鏡筒本体へのモータ取り付け状態を示す図。
【図１１】従来のズームレンズ鏡筒の断面図。
【図１２】従来のズームレンズ鏡筒の電気回路のブロック図。
【図１３】従来のズームレンズ鏡筒の鏡筒本体へのモータ取り付け状態を示す図。
【符号の説明】
１・・第１レンズ群
２・・第２レンズ群（バリエーター）
３・・アフォーカルレンズ群
４・・フォーカシングレンズ群
５・・前玉鏡筒
５ａ・・遮光線
５ｂ・・固定ビス下穴
５ｃ，５ｄ・・左右方向のスライド穴
５ｅ、５ｆ・・左右方向規制の基準リブ
５ｇ、５ｈ・・基準穴
５ｉ、５ｊ・・係止溝
５ｋ・・係止長穴
５ｌ・・挟み込み部
５ｍ・・制振部材
５ｒ・・ビス下穴
６ａ、６ｂ・・ガイドバー
７・・後部鏡筒
７ａ・・当接基準面
７ｂ・・ローパスフィルター保持部
７ｃ・・ＣＣＤ保持部
７ｄ、７ｅ・・基準穴
８・・Ｖ移動環
８ａ・・スリーブ
８ｂ・・Ｕ溝部
９・・ＲＲ移動環
９ａ・・スリーブ
９ｂ・・Ｕ溝部
１０・・ＰＺモータ
１０ａ・・リードスクリュウ軸
１０ｂ・・モータ保持部材
１０ｃ・・ビスの下穴
１０ｄ・・基準位置決め穴
１０ｅ・・振れ止めのための長穴
１１・・ＡＦモータ
１１ａ・・リードスクリュウ軸
１１ｂ・・モータ保持部材
１１ｃ・・ビスの下穴
１１ｄ・・基準位置決め穴
１１ｅ・・振れ止めのための長穴
１２・・中間枠
１２ａ・・基準位置決め穴
１２ｂ・・振れ止めのための長穴
１２ｃ、１２ｄ、１２ｅ・・係止部
１３・・ＩＧメータ
１８・・ビス
【図１】
0004478243.tif 000002
【図２】
0004478243.tif 000003
【図３】
0004478243.tif 000004
【図４】
0004478243.tif 000005
【図５】
0004478243.tif 000006
【図６】
0004478243.tif 000007
【図７】
0004478243.tif 000008
【図８】
0004478243.tif 000009
【図１０】
0004478243.tif 000010
【図１１】
0004478243.tif 000011
【図１２】
0004478243.tif 000012
【図１３】
0004478243.tif 000013
【図９】
0004478243.tif 000014